(57)【要約】【課題】  光ディスクの欠陥を回避したフォーマット処理に関し、ユーザに不要な時間を負わせないように短時間でフォーマット処理が行えるようにする。【解決手段】  欠陥位置を示す２つのリストを有する光記録媒体を記録する際、第１のリストに登録されている欠陥を飛ばして記録する記録制御手段（９−２−２）と、再生時、欠陥を検出して、その欠陥位置を第２のリストに登録する欠陥検出格納手段（９−２−３）と、フォーマット処理時、第２のリストに登録された欠陥位置を第１のリストに登録するフォーマット処理手段（９−２−７）と、第２のリストに登録された欠陥の数に応じたフォーマット処理項目を表示するための表示手段（９−２−５）と、表示された処理項目から項目を選択する操作選択手段（９−２−６）と、選択されたフォーマット処理を実行させる実行手段（９−２−７）とを備える。【選択図】      図３
2007200383.tif 000002
【特許請求の範囲】
【請求項１】
複数のセクタに分割された記録領域を有し、書き換え可能な光ディスクを装着して記録再生する光ディスク記録再生装置において、
第１の物理フォーマット処理時、前記光ディスク全面の書き込み読み出し検査により欠陥が検出された場合には、前記検出した欠陥アドレスを第１のリストとして光ディスク内の所定領域に格納してフォーマット化する第１のフォーマット処理手段と、
記録動作時、前記第１のリストに欠陥アドレスが格納されている場合には、前記アドレスに対応する欠陥位置を飛ばして前記光ディスクに所定の情報を記録させる制御手段と、
前記記録された情報の再生動作時に、読み出しエラーが検出された場合には、前記検出した欠陥アドレスを第２のリストとして光ディスク内の所定領域に格納する読み出し欠陥検出格納手段と、
第２の物理フォーマット処理時、前記第２のリストに欠陥アドレスが格納されている場合には、前記欠陥アドレスを前記第１のリストに移動格納してフォーマット化する第２のフォーマット処理手段と、
前記第２のリストに格納された欠陥アドレスの数が所定数以上である場合には、前記第１の物理フォーマット処理項目と前記第２の物理フォーマット処理項目と論理フォーマット処理項目とをメニュー表示させると共に、前記欠陥アドレスの数が所定数以下である場合には、前記第１の物理フォーマット処理項目と論理フォーマット処理項目とをメニュー表示させるための手段と、
を備えたことを特徴とする光ディスク記録再生装置。
【請求項２】
前記メニュー表示させるための手段に代えて、前記欠陥アドレスの数が所定数以上である場合には前記第２の物理フォーマット処理項目のみを表示させると共に、前記欠陥アドレスの数が所定数以下である場合には論理フォーマット処理項目のみをメニュー表示させるための手段を備えたことを特徴とする請求項１記載の光ディスク記録再生装置。
【発明の詳細な説明】
【技術分野】
【０００１】
本発明は、光ディスク記録再生装置に係わり、特に書き換え型光ディスクに映像信号を記録再生する場合の欠陥管理が可能な光ディスク記録再生装置に関するものである。
【背景技術】
【０００２】
ＤＶＤレコーダにテレビ番組を記録して見ていると、エラーを起こして画像が乱れることがある。この原因の一つは、光ディスク媒体の傷などの欠陥によるものである。
書き換え型光ディスク装置では、これら媒体の欠陥に対してデータの信頼性を保証するため、誤り訂正符号（以下、ＥＣＣと記す。）によるエラー訂正処理を行うとともに、ディスク上に欠陥があると、その欠陥部を避けて予め設けた交代領域に記録して、欠陥を回避し、見かけ上欠陥のないディスクとして利用する欠陥管理の仕組みを備えている。
この書き換え型光ディスクの欠陥管理方法は、ディスクにより異なるが、ＤＶＤ−ＲＡＭの場合を例にとって説明する。（例えば、非特許文献１参照。）図８は、欠陥管理の説明図で、（Ａ）、（Ｂ）は、欠陥回避処理した時のディスク記録領域、（Ｃ）、（Ｄ）は、それぞれＰＤＬ、ＳＤＬと呼ぶ欠陥アドレスの記録されたリストを示す。以下の説明中の用語「セクタ」は記録領域の最小単位を表し、「ブロック」は記録単位であるＥＣＣブロックを表す。
欠陥管理方法の１つは、予めディスクの欠陥セクタを検出して、ＰＤＬ（第１欠陥リスト）にその欠陥セクタのアドレス（物理セクタ番号：ＰＳＮ）を登録しておいて、記録時欠陥セクタがある場合は、図８（Ａ）に示すように、その欠陥セクタを飛ばして後続する交代セクタに書き込むスリッピング・リプレイスメント法である。
もう１つは、記録時のライトベリファイの際、記録したデータを検査して欠陥ありと判定されると、図８（Ｂ）に示すように、その欠陥セクタを含むブロックのデータを予備の交代ブロックに記録して、ＳＤＬ（第２欠陥リスト）にその欠陥ブロックと交代ブロックのアドレスを登録するリニア・リプレイスメント法である。
リニア・リプレイスメント法は、交代ブロックへジャンプして書き込むため、ヘッドシークの時間が必要となり、アクセス遅延が大きくなる。
【０００３】
ＰＣなどのデータ記録では、データの正確性が要求され、処理の遅れはあまり問題とならないため、前記スリッピング・リプレイスメント法およびリニア・リプレイスメント法の２方式とも使われている。
一方、映像信号を記録する場合には、部分的なデータの欠落は一時的な画像の乱れとなる程度で補間により隠すこともできるが、処理の遅れは画面が出なくなるなど致命的欠陥となるため、通常、アクセス遅延が少ない前記スリッピング・リプレイスメント法だけが使われている。すなわち、映像信号記録用途では、ＤＶＤに備わっているＳＤＬを使った欠陥管理の仕組みを十分活用していない。
そこで、ＳＤＬに登録された欠陥アドレスをＰＤＬに移して、欠陥セクタを回避する方法が知られている。（例えば、特許文献１参照。）
すなわち、前記記録時のライトベリファイ、または再生時のＥＣＣのエラー情報から所定の基準で欠陥ブロックを検出して、前記検出した欠陥ブロックのアドレスを、ＳＤＬへ登録する。そして、フォーマット時、ＳＤＬに登録された欠陥アドレスをＰＤＬに移しかえて登録して、記録時に、ＰＤＬに登録された欠陥ブロックをスキップして記録すればよい。
この方法によれば、映像信号を記録する場合においても、欠陥のあるディスクをフォーマット処理して、見かけ上欠陥のないディスクとして利用することができる。
【０００４】
一般に、フォーマット処理には、物理フォーマット処理と論理フォーマット処理がある。物理フォーマット処理は、ディスク定義情報や欠陥管理情報の書き込みを行い、セクタ単位でのアクセスを可能とするものであるが、ＤＶＤ−ＲＡＭの場合、ディスクを全面検査して欠陥管理情報の書き込みを行う処理（以下、サーティファイと呼ぶ。）、および前記ＳＤＬに登録された欠陥アドレスをＰＤＬに移しかえて登録する処理（以下、ディスク・リフレッシュと呼ぶ。）の２つの処理方法がある。
また、論理フォーマット処理は、物理フォーマットされたディスクに対して行うもので、ファイルが読み書きできるようにファイルフォーマット（例えば、ＵＤＦ、ＦＡＴなど）に従って、各種管理情報をディスクに書き込んで、ディスクを初期化し、記録済みタイトルを全て消去するものである。以下、論理フォーマットはディスク・クリアとも呼ぶ。
ところが、映像信号用途の光ディスク記録再生装置では、図９に示すように、ユーザが実行可能なフォーマットは、通常、論理フォーマットだけで、ディスクの欠陥を回避するようなフォーマット処理は含まれていない。この理由は、一般ユーザが必要とするのは、ディスクのデータを全消去することであるが、ディスク・クリアによれば短時間で初期化できるのに、サーティファイは例えば７０分と時間がかかるためである。また前記ディスク・リフレッシュは、通常映像信号用途の光ディスク記録再生装置が、再生時に欠陥を検出する機能を持っていないので、実行できないためである。
さらにフォーマット時、ユーザには、ディスク欠陥に対する情報が与えられない。
【特許文献１】特開平１１−１３４８１１号公報（第５−７頁、第１−３図）
【非特許文献１】ＤＶＤ  Ｓｐｅｃｉｆｉｃａｔｉｏｎ  ｆｏｒ  Ｒｅｗｒｉｔａｂｌｅ  Ｄｉｓｃ（ＤＶＤ−ＲＡＭ）  Ｐａｒｔ１：ＰＨＹＳＩＣＡＬ  ＳＰＥＣＩＦＩＣＡＴＩＯＮ  Ｖｅｒｓｉｏｎ  ２．１  ／Ｓｅｐ．  ２００２  （ｂｙ  ＤＶＤ  Ｆｏｒｕｍ）
【発明の開示】
【発明が解決しようとする課題】
【０００５】
このように、通常の映像信号用光ディスク記録再生装置のユーザ側で一般に行っているフォーマット処理（論理フォーマット）では、サーティファイ後、記録再生中に新たに発生した欠陥は、ＰＤＬに登録されていないため回避することは難しい。さらに、一部のフォーマット処理の知識を有するユーザにとっては、何ら選択の余地なくブラックボックスのままフォーマットすることになるなど、光ディスクとして備わっている機能・情報を有効に活用し得ていないという問題があった。
【０００６】
そこで、本発明は、上記のような問題点を解消するためになされたもので、時間のかかるサーティファイをしなくても、ＳＤＬに登録された欠陥情報を有効に使って、短時間でエラーの原因となる欠陥を回避することができるフォーマット処理を可能とするとともに、光ディスクとして備わっている機能・情報を有効に活用して、ユーザにとって、無用な判断は要求されない、使いやすい光ディスク記録再生装置を提供することを目的とする。
【課題を解決するための手段】
【０００７】
本願発明における第１の発明は、複数のセクタに分割された記録領域を有し、書き換え可能な光ディスクを装着して記録再生する光ディスク記録再生装置において、第１の物理フォーマット処理時、前記光ディスク全面の書き込み読み出し検査により欠陥が検出された場合には、前記検出した欠陥アドレスを第１のリストとして光ディスク内の所定領域に格納してフォーマット化する第１のフォーマット処理手段（フォーマット処理部  ９−２−７）と、記録動作時、前記第１のリストに欠陥アドレスが格納されている場合には、前記アドレスに対応する欠陥位置を飛ばして前記光ディスクに所定の情報を記録させる制御手段（記録処理ＡＰＬ  ９−２−２）と、前記記録された情報の再生動作時に、読み出しエラーが検出された場合には、前記検出した欠陥アドレスを第２のリストとして光ディスク内の所定領域に格納する読み出し欠陥検出格納手段（欠陥検出部  ４−７、再生処理ＡＰＬ  ９−２−３）と、第２の物理フォーマット処理時、前記第２のリストに欠陥アドレスが格納されている場合には、前記欠陥アドレスを前記第１のリストに移動格納してフォーマット化する第２のフォーマット処理手段（フォーマット処理部  ９−２−７）と、前記第２のリストに格納された欠陥アドレスの数が所定数以上である場合には、前記第１の物理フォーマット処理項目と前記第２の物理フォーマット処理項目と論理フォーマット処理項目とをメニュー表示させると共に、前記欠陥アドレスの数が所定数以下である場合には、前記第１の物理フォーマット処理項目と論理フォーマット処理項目とをメニュー表示させるための手段（メニュー表示部  ９−２−５）と、を備えたことを特徴とする光ディスク記録再生装置を提供する。
第２の発明は、前記メニュー表示させるための手段に代えて、前記欠陥アドレスの数が所定数以上である場合には前記第２の物理フォーマット処理項目のみを表示させると共に、前記欠陥アドレスの数が所定数以下である場合には論理フォーマット処理項目のみをメニュー表示させるための手段（メニュー表示部  ９−２−５）を備えたことを特徴とする請求項１記載の光ディスク記録再生装置を提供する。
【発明の効果】
【０００８】
第１の発明によれば、特に再生動作時に、読み出しエラーが検出された場合には、検出した欠陥アドレスを第２のリストとして光ディスク内の所定領域に格納する読み出し欠陥検出格納手段と、第２のリストに欠陥アドレスが格納されている場合には、前記欠陥アドレスを第１のリストに移動格納してフォーマット化する第２のフォーマット処理手段とを有し、フォーマット処理時、記録再生中に新たに発生した欠陥の数が多い場合には、第１の物理フォーマット処理項目と第２の物理フォーマット処理項目と論理フォーマット処理項目とをメニュー表示させて、第１の物理フォーマット処理のように時間のかかる処理をしなくても、短時間に見かけ上欠陥のないディスクとして初期化することができる第２の物理フォーマット処理項目を選択可能とするとともに、前記欠陥の数が無視できる程度に少ない場合には、第１の物理フォーマット処理項目と論理フォーマット処理項目だけを表示させて、実質上効果のない第２の物理フォーマット処理項目を表示させないようにしたので、不必要な判断項目がなく、ユーザに無用な判断を要求しない。
また、特に、フォーマット処理の知識を有するユーザにとっては、欠陥アドレスの数に応じて適切なフォーマット処理項目を複数表示するようにしているので、例えば時間のかかる第１の物理フォーマット処理を意識して選択するなど、処理項目を自由に選択して、フォーマット処理することもできる。
第２の発明によれば、記録再生中に新たに発生した欠陥の数が多い場合には、ユーザは、第１の物理フォーマット処理のように時間のかかる処理をしなくても、短時間で処理できる第２の物理フォーマット処理を実行して見かけ上欠陥のないディスクとして初期化することができるとともに、前記欠陥の数が無視できる程度に少ない場合には、ユーザは、直接論理フォーマット処理を実行して、より短時間に初期化することができる。
また、特に、フォーマット処理の知識不足のユーザにとっては、欠陥アドレスの数に応じて必要なフォーマット処理項目を一つのみ表示するようにしているので、選択すべき項目の判断を要せず、単にメニュー表示に従うだけで、欠陥アドレスの数に応じた適切なフォーマットが可能となる等の効果を奏するものである。
【発明を実施するための最良の形態】
【０００９】
以下、本発明を実施するための最良の形態につき、好ましい実施例としてＤＶＤ−ＲＡＭを用いた光ディスク記録再生装置について、図１〜図７を参照して説明する。
図１は、本願発明の実施例における光ディスク記録再生装置の構成を示す図である。図２は、本実施例の光ディスク記録再生装置における記録再生処理部の構成を示す図である。図３は、本実施例の光ディスク記録再生装置におけるシステムコントローラの構成を示す図である。図４は、本実施例の光ディスク記録再生装置におけるフォーマット処理画面を示す図である。図５は、本実施例における欠陥管理の動作を示すフローチャートで、（Ａ）は、再生処理、（Ｂ）は、記録処理を示す。図６は、本実施例における欠陥管理の動作を示すフローチャートで、（Ａ）は、フォーマット処理、（Ｂ）は、ディスク・リフレッシュ処理を示す。図７は、本実施例の光ディスク記録再生装置におけるフォーマット処理のメニュー画面を示す図である。
【実施例１】
【００１０】
本実施例における光ディスクシステムは、図１に示すように、光ディスク記録再生装置１０、テレビ受像機２０、リモコン３０から構成され、リモコン３０により光ディスク記録再生装置１０を操作して、テレビ受像機２０に画像を表示するシステムとなっている。
そして、光ディスク記録再生装置１０は、装着される光ディスク１、光ディスクドライブ２、制御部３、記録再生信号処理部４、フォーマット信号処理部５、音声映像信号処理部６、ディスク情報処理部７、ユーザインターフェース８、システムコントローラ９から構成され、リモコン３０の操作信号をユーザインターフェース８で受信して、システムコントローラ９に出力する。システムコントローラ９は、入力した操作信号に従って、光ディスクドライブ２、制御部３、記録再生信号処理部４、フォーマット信号処理部５、音声映像信号処理部６、ディスク情報処理部７、を制御し、テレビ受像機２０に映像を表示して、光ディスク１の記録再生を行う。
【００１１】
記録再生信号処理部４は、図２に示すように、記録再生部４−１、バッファ４−２、変調部４−３、エラー処理部４−４、アドレス読み出し部４−５、アドレス制御部４−６、欠陥検出部４−７から構成されている。そして、記録時には、フォーマット処理されたデータにエラー処理部４−４によりＥＣＣを付加して、変調部４−３により変調して、バッファ４−２を介して、記録再生部４−１により記録信号を生成して光ヘッドに出力する。また再生時は、記録再生部４−１により光ヘッドから出力された信号をデジタル検出して２値化して、バッファ４−２を介して、変調部４−３により復調したデータを、エラー処理部４−４により誤り訂正処理を行って、フォーマット信号処理部５に戻すものである。
またアドレス制御部４−６は、記録再生時、アドレス読み出し部４−５により読み出したセクタアドレスと、後述するＰＤＬ記憶部９−２−９に記憶されている欠陥アドレスとを比較処理して、バッファ４−２により、記録時には欠陥セクタを飛ばして記録し、再生時には欠陥セクタ部を飛ばして再生するようアドレス制御するものである。
欠陥検出部４−７は、再生時、エラー処理部４−４からエラー情報を得て、所定の基準により欠陥セクタを検出して、そのアドレスを後述する欠陥記憶部９−２−１０に出力する。
【００１２】
さらに、システムコントローラ９は、図３に示すように、基本的にはＣＰＵ９−１、およびアドレス空間に、プログラム領域９−２−ａ、データ領域９−２−ｂが配置されたメモリ９−２から構成されている。
そして、プログラム領域９−２−ａには、メニューによりプログラムを指定して起動する起動用アプリケーション（以下、ＡＰＬとも記す。）９−２−１、記録処理アプリケーション９−２−２、再生処理アプリケーション９−２−３、ＤＶＤの各種設定を行うディスク設定アプリケーション９−２−４などのアプリケーションソフト、およびメニュー表示部９−２−５、メニュー選択部９−２−６、フォーマット処理部９−２−７、ディスク情報部９−２−８などのサブルーチン群が格納されている。
また、データ領域９−２−ｂには、ＰＤＬ記憶部９−２−９、欠陥記憶部９−２−１０、ＳＤＬ記憶部９−２−１１、またインターフェース機能を持つ入出力ポート９−２−１２などが配置されている。
【００１３】
次に、本実施例の光ディスク記録再生装置におけるフォーマット処理のユーザインターフェースについて、図４のメニュー画面を併せ参照して説明する。
フォーマット処理ソフトは、以下のように起動される。すなわち、リモコン３０により、起動用アプリケーション９−２−１が起動されると、メニュー表示部９−２−５によりテレビ受像機２０にＤＶＤ操作メニュー４０が表示され、ＤＶＤの設定を選択すると、メニュー選択部９−２−６、メニュー表示部９−２−５により、ＤＶＤ設定ユーティリティ選択メニュー４１が表示される。ここで、“２：フォーマット”と表示された項目を選択すると、フォーマット選択メニューが表示され、このうちどれか１つのフォーマットを選択して実行する。
前記フォーマット選択メニューは、２種あって、一方の選択メニュー４２−１には、ディスク・クリア（論理フォーマット）、ディスク・リフレッシュ（第２の物理フォーマット）、およびサーティファイ（第１の物理フォーマット）の３種全てのフォーマット処理項目が表示されるとともに、ディスク・リフレッシュがデフォルトとして選択されている。また、他方の選択メニュー４２−２には、ディスク・リフレッシュを選択不能として、ディスク・クリア、サーティファイの２つのフォーマットが表示されるとともに、ディスク・クリアがデフォルトとして選択されている。このディスク・リフレッシュの削除は、後述するように、光ディスク１からＳＤＬに登録された欠陥ブロックの数をチェックして、所定数より少なくてディスク・リフレッシュする必要がないと判定された場合に、表示を抑制したものである。灰色として選択できないようにしてもよい。
すなわち、フォーマット処理では、特に問題がなければ、数十秒などと時間のかかるディスク・リフレッシュ処理をする必要がなく、より短時間でできるディスク・クリア処理により初期化すればよい。このディスク・リフレッシュの要否は、本来は、ＥＣＣによる訂正が可能かどうかで判断するとよいが、本実施例ではディスクの傷み具合の意味から、単純に欠陥の数で代表させたものである。ＥＣＣに基づく判定基準として、ＥＣＣにより訂正不能となる数、ある領域における欠陥密度なども考えられる。
また同時に、このフォーマット選択メニュー４２の画面には、ディスク情報部９−２−８により、ディスク情報処理部７を介して、光ディスク１からディスクの情報を取得して、フォーマットの処理時間、光ディスクの欠陥情報など、ディスクのフォーマット関連の情報が表示される。
本実施例のメニュー画面によれば、ユーザは、通常、デフォルトとして選択されたフォーマット処理を行えばよい。また、特に意識したフォーマット処理をしたい場合には、ユーザは、ディスクの欠陥情報、処理時間を見て、ユーザの意図するフォーマット処理を選択して実行することができる。
また、ユーザは、ディスクの欠陥情報から、ディスクの傷み具合を知ることができるとともに、ディスク良否の判断資料とすることができ、より専門知識を有するユーザに対応できる表示情報を提供することができる。
【００１４】
次に、以上の構成に基づいて、本実施例における欠陥管理方法について説明する。
最初に、本実施例の再生処理の動作について、欠陥検出を中心に、図５（Ａ）のフローチャートを併せ参照して説明する。この欠陥検出手順は、再生処理中に、ＥＣＣの情報から所定の基準（例えば、そのＥＣＣブロック中のエラーの有無）により欠陥を検出して、そのアドレスをメモリに記憶しておき、一連の再生処理が終わったら、まとめて光ディスク１のＳＤＬに登録するものである。
再生処理が開始されると、再生処理アプリケーション９−２−３は、まず準備として、ディスク情報部９−２−８により、予めサーティファイにより検出され光ディスクのＰＤＬに登録された欠陥セクタのアドレスを読み出し、ＰＤＬ記憶部９−２−９に記憶する（ステップＳ１）。
次に、記録再生信号処理部４により、ＰＤＬ記憶部９−２−９に記憶されている欠陥セクタを避けて、再生順により指定されたブロックを読み出す（ステップＳ２）。
読み出されたブロックデータは、エラー処理部４−４により、エラー訂正をかけてフォーマット信号処理部５に出力するとともに、欠陥検出部４−７により、所定の基準で欠陥を検出する（ステップＳ３）。
そして、再生処理アプリケーション９−２−３は、前記欠陥の有無をチェックして、欠陥がない場合は、ステップＳ６にとび（ステップＳ４）、欠陥がある場合には、そのブロックの先頭セクタのアドレスを欠陥アドレスとして、欠陥記憶部９−２−１０に記憶する（ステップＳ５）。
そして、Ｓ２〜Ｓ５のステップを、再生終了まで繰り返す（ステップＳ６）。
再生が終了したら、再生処理アプリケーション９−２−３は、欠陥記憶部９−２−１０に欠陥アドレスが記憶されているかどうかチェックして（ステップＳ７）、欠陥がない場合はそのまま終了し、欠陥がある場合は、ディスク情報部９−２−８により、欠陥記憶部９−２−１０に記憶されている欠陥アドレスを所定の情報とともに、ＳＤＬに追加書き込み登録して終了する（ステップＳ８）。この時、ＤＶＤ−ＲＡＭの図８（Ｄ）に示すＳＤＬでは、交代処理をしないのでＳＬＲフラグを１、交代ブロックアドレスを０とするとともに、欠陥登録数を書き込む。また、交代領域がなくなった場合には、欠陥アドレスの書き込みを中断するとともに、交代領域フルのフラグをたてる。
以上により、再生中に欠陥を検出して、再生終了後ＳＤＬに登録することができる。
【００１５】
次に、本実施例の記録処理の動作について、図３（Ｂ）のフローチャートを併せ参照して説明する。この記録手順は、一連の記録処理中に、ＰＤＬに登録された欠陥セクタを飛ばしながら、ブロックを単位として順次記録するものである。
記録処理が開始されると、記録処理アプリケーション９−２−２は、まず、準備としてディスク情報部９−２−８により、光ディスクのＰＤＬに登録された欠陥セクタのアドレスを読み出し、ＰＤＬ記憶部９−２−９に記憶する（ステップＳ１１）。
次に、記録再生信号処理部４により、フォーマット信号処理部５から入力したブロックデータに、ＥＣＣを付加して、変調した記録用のブロックデータを生成して、セクタを単位とした一連のセクタデータに分割する（ステップＳ１２）。
そして、記録処理アプリケーション９−２−２は、アドレス制御部４−６により、記録しようとしているセクタの記録アドレスを、ＰＤＬ記憶部９−２−９に記憶されている欠陥セクタのアドレスと比較して、欠陥セクタかどうかチェックし（ステップＳ１３）、記録セクタが欠陥セクタでない場合は、ステップＳ１５に飛ぶ。記録セクタが欠陥セクタである場合には、その記録アドレスにプラス１して（ステップＳ１４）、ステップＳ１３に戻る。以上により記録アドレスが確定する。
そして、記録再生部４−１により、セクタデータを、順次、前記記録アドレスのセクタに記録する（ステップＳ１５）。
ステップＳ１３〜Ｓ１５を、ステップＳ１２で生成されたブロックの全セクタデータがなくなるまで繰り返す（ステップＳ１６）。
さらに、全ての記録が終了するまで、ステップＳ１２〜Ｓ１６を繰り返して、終了する（ステップＳ１７）。
以上により、ＰＤＬに登録された欠陥セクタをスキップして、欠陥セクタを回避したデータ記録が可能となる。
【００１６】
次にフォーマット処理の動作について、図６のフローチャートを併せ参照して説明する。図６（Ａ）は、フォーマット処理全体の動作を示し、図６（Ｂ）は、特にディスク・リフレッシュ部分の処理を示している。
ディスク設定アプリケーション９−２−４が起動され、選択されたメニューに従って、フォーマット処理が開始されると、フォーマット処理部９−２−７は、準備として、ディスク情報部９−２−８により、光ディスクのＰＤＬ、ＳＤＬの登録内容を読み出し、それぞれＰＤＬ記憶部９−２−９、ＳＤＬ記憶部９−２−１１に格納する（ステップＳ２１）。
これは、以下の処理において、ＰＤＬ、ＳＤＬの読み出し高速化のため使用される。
続いて、フォーマット処理部９−２−７は、ＳＤＬに登録されている欠陥の数を所定の値と比較（ステップＳ２２）して、欠陥の数が少ない場合には、ディスク・リフレッシュは不要と判断して、ステップＳ２３に飛び、図４の４２−２に示すように、ディスク・クリアとサーティファイを表示して、フォーマット処理方法をユーザに選択するよう促す（ステップＳ２３）。この時、これらの処理時間、欠陥情報を同時に表示するとともに、ディスク・クリアをデフォルトとしてユーザにこの項目を優先的に選択するように促す。
そして、リモコン３０から選択情報を受信すると、その選択内容をチェック（ステップＳ２４）して、ディスク・クリアが選択された場合には、そのままステップＳ２９に飛び、サーティファイが選択された場合には、ステップＳ２７に飛ぶ。
一方、ステップＳ２２で、欠陥の数が所定の値より多い場合には、フォーマット処理部９−２−７は、ディスク・リフレッシュが必要と判断して、ステップＳ２５に飛び、図４の４２−１に示すように、ディスク・クリア、ディスク・リフレッシュ、およびサーティファイのそれぞれの項目を表示して、フォーマット処理方法を選択するよう促す（ステップＳ２５）。この時、これらの処理時間、欠陥情報を同時に表示するとともに、ディスク・リフレッシュをデフォルトとして、この項目を優先的に選択するように誘導する。
そして、ユーザ操作による選択情報を受信すると、その選択内容をチェック（ステップＳ２６）して、ディスク・クリアが選択された場合には、そのままステップＳ２９に飛び、サーティファイが選択された場合には、ステップＳ２７に飛び、ディスク・リフレッシュが選択された場合には、ステップＳ２８に飛ぶ。
ステップＳ２７のサーティファイでは、ディスク全面の欠陥チェックを行って欠陥セクタをＰＤＬに登録し、ディスク定義情報を書き込んで（ステップＳ２７）、ステップ２９のディスク・クリアに飛ぶ。この時、ＤＶＤ−ＲＡＭの図８（Ｃ）に示すＰＤＬでは、欠陥セクタのタイプをユーザによる欠陥検査を示すＧ１（“０１”）とする。
ステップＳ２８では、後述するようにディスク・リフレッシュ処理を行って、ステップ２９のディスク・クリアに飛ぶ。
ステップＳ２９のディスク・クリアでは、論理フォーマットを行って、ディスクを初期化して全てのファイルを消去して、フォーマット処理を終了する（ステップＳ２９）。
以上により、フォーマット処理が可能となるとともに、フォーマット選択メニューには、ディスクの欠陥情報が提供される。なお、これら欠陥情報には、回避処理済み欠陥情報としてＰＤＬ欠陥セクタ数／全セクタ数、回避未処理欠陥情報としてＳＤＬ欠陥ブロック数／全ブロック数などがある。
【００１７】
次に、図６（Ｂ）のフローチャート、および図７（Ｃ）ＰＤＬ、（Ｄ）ＳＤＬの構成図を参照して、ディスク・リフレッシュ処理動作例について説明する。
ＰＤＬは、セクタ単位、ＳＤＬは、ＥＣＣブロック単位で欠陥管理がなされている。従って、ＳＤＬの欠陥セクタをＰＤＬに登録する場合、欠陥ブロック全てのセクタをＰＤＬに登録する方法と、欠陥ブロックのうち欠陥セクタだけをＰＤＬに登録する方法が考えられる。本実施例では、後者の欠陥セクタだけをＰＤＬに登録するものとする。
フォーマット処理部９−２−７は、まず、ＳＤＬの欠陥ブロックの先頭アドレスを読み出し、欠陥ブロックの全セクタのアドレスを求める（ステップＳ３１）。
前記欠陥ブロックの全セクタに対して、セクタごとに書き込みチェックを行う（ステップＳ３２）。
そして、欠陥が見つかった場合には、その欠陥セクタのアドレスを欠陥記憶部９−２−１０に記憶する（ステップＳ３３）。
以上のＳ３１〜Ｓ３３のステップを、ＳＤＬに登録されている全ての欠陥ブロックに対して行う（ステップＳ３４）。
そして、フォーマット処理部９−２−７は、ＰＤＬに登録された欠陥セクタのアドレスを読み出す（ステップＳ３５）。
そして、前記ＰＤＬに登録された欠陥セクタのアドレスと、ステップＳ３３で欠陥記憶部９−２−１０に記憶した欠陥セクタのアドレスとをマージして、アドレスの順番にソートして、ＰＤＬに登録し、管理データは所定の値にアップデートする（ステップＳ３６）。この時、ＤＶＤ−ＲＡＭの図８（Ｃ）に示すＰＤＬでは、新たに追加された欠陥セクタのタイプをユーザによる欠陥検査を示すＧ１（“０１”）とする。
そして、ＳＤＬの欠陥ブロックを削除して、管理データは所定の値にアップデートして（ステップＳ３７）、ステップＳ２９のディスク・クリアに飛ぶ。
これで、ディスク・クリアが終了すると、ディスクは全て消去されるとともに、見かけ上欠陥のないディスクにリフレッシュされる。
【００１８】
以上のように、実施例１によれば、ディスク・リフレッシュにより、サーティファイのように長時間を必要とせず、見かけ上欠陥のないディスクを提供することができる。
また、フォーマットのメニューには、ＳＤＬに登録された欠陥の数が少ない場合には、ディスク・リフレッシュ処理は選択不能として表示するので、ユーザに無用な判断を求めず、無駄に時間を使わせないで、フォーマットすることができる。
さらに、フォーマット時には、ディスクの欠陥情報、および処理時間などを表示するので、ユーザは、これらの情報によりフォーマットを選択して、フォーマットすることができるとともに、通常は、デフォルトを選択して、簡単にフォーマット処理を行うことができる。
【実施例２】
【００１９】
実施例２における、光ディスク記録再生装置１０、記録再生信号処理部４、システムコントローラ９の構成は、基本的には、実施例１と同一であり、詳細な説明は省略する。
上述の実施例１では、デフォルト以外のフォーマット方法も表示して、選択可能としたが、当該実施例２では、自動的にデフォルトのフォーマットを実施するよう設定したもので、実施例１との相違は、メニューの表示とそれを実行させるためのシステムコントローラのプログラムの一部内容にある。以下、メニュー画面について説明する。
【００２０】
実施例２の光ディスク記録再生装置におけるフォーマット処理のユーザインターフェースについて、図７のメニュー画面を参照して説明する。
フォーマット処理部９−２−７により、実施例１同様、テレビ受像機２０にＤＶＤ操作メニュー４０を表示して、ＤＶＤの設定を選択されると、ＤＶＤ設定ユーティリティ選択メニュー４１が表示される。ここで、フォーマットを選択すると、フォーマット画面が表示される。
この表示されるフォーマット画面は２種あって、ＳＤＬに登録された欠陥ブロックの数が多くて、ディスク・リフレッシュする必要がある場合には、ディスク・リフレッシュ画面４３−１が表示され、実行可能となる。また、欠陥ブロックの数が数個以下でディスク・リフレッシュする必要がない場合には、ディスク・クリア画面４３−２が表示され実行可能となる。また、これらフォーマット画面４３には、実施例１同様、処理時間、欠陥情報などが表示されるものである。
【００２１】
以上のように、実施例２によれば、サーティファイ後、記録再生中に新たに発生した欠陥が多い場合には、自動的にディスク・リフレッシュが表示されて、この処理の実行により、ディスクの欠陥位置を飛ばす処理を行ってから論理フォーマット処理され、見かけ上欠陥のないディスクとして初期化することができる。一方、前記欠陥が少ない場合には、ディスク・クリアが表示されて、直接論理フォーマット処理され、より短時間にディスクを初期化することができる。
さらに、フォーマット時には、ディスクの欠陥情報が表示されるので、ユーザは、ディスクが傷み具合を知ることができる。
【００２２】
なお、以上の実施例では、映像信号記録用途の光ディスク記録再生装置に限定して述べたが、ここで使用される書き換え型光ディスクは、データ用途で使用されたディスク、またデータと映像が混在しているディスクでもよいことは勿論である。データ用ディスクでは、記録時のライトベリファイの時、欠陥が検出されると、リニア・リプレイスメント処理され、図７（Ｄ）に示すように、ＳＤＬには、欠陥ブロックのアドレスだけではなく、交代ブロックのアドレスも記述されている。このようなディスクを、本発明により、ディスク・リフレッシュ処理する場合は、前記欠陥ブロックのアドレスを使って、映像信号用途のディスクと全く同じ処理ができる。
【図面の簡単な説明】
【００２３】
【図１】本願発明の実施例における光ディスク記録再生装置の構成を示す図である。
【図２】本実施例の光ディスク記録再生装置における記録再生処理部の構成を示す図である。
【図３】本実施例の光ディスク記録再生装置におけるシステムコントローラの構成を示す図である。
【図４】本実施例の光ディスク記録再生装置におけるフォーマット処理のメニュー画面を示す図である。
【図５】本実施例における欠陥管理の動作を示すフローチャートで、（Ａ）は、再生処理、（Ｂ）は、記録処理を示す。
【図６】本実施例における欠陥管理の動作を示すフローチャートで、（Ａ）は、フォーマット処理、（Ｂ）は、ディスク・リフレッシュ処理を示す。
【図７】本実施例の光ディスク記録再生装置におけるフォーマット処理のメニュー画面を示す図である。
【図８】欠陥管理の説明図で、（Ａ）は、スリッピング・リプレイスメント処理における記録領域、（Ｂ）は、リニア・リプレイスメント処理における記録領域、（Ｃ）はＰＤＬ、（Ｄ）は、ＳＤＬを示す。
【図９】従来のフォーマット処理画面を示す図である。
【符号の説明】
【００２４】
１  光ディスク、２  光ディスクドライブ、３  制御部、４  記録再生信号処理部、４−１  記録再生部、４−２  バッファ、４−３  変調部、４−４  エラー処理部、４−５  アドレス読み出し部、４−６  アドレス制御部、４−７  欠陥検出部、５  フォーマット信号処理部、６  音声映像信号処理部、７  ディスク情報処理部、８  ユーザインターフェース、９  システムコントローラ、９−１  ＣＰＵ、９−２  メモリ、  ９−２−ａ  プログラム領域、９−２−ｂ  データ領域、９−２−１  起動用アプリケーション、９−２−２  記録処理アプリケーション、９−２−３  再生処理アプリケーション、９−２−４  ディスク設定アプリケーション、９−２−５  メニュー表示部、９−２−６  メニュー選択部、９−２−７  フォーマット処理部、９−２−８  ディスク情報部、９−２−９  ＰＤＬ記憶部、９−２−１０  欠陥記憶部、９−２−１１  ＳＤＬ記憶部、９−２−１２  入出力ポート、１０  光ディスク記録再生装置、２０  テレビ受像機、３０  リモコン、４０  ＤＶＤ操作メニュー、４１  ＤＶＤ設定ユーティリティ選択メニュー、４２  フォーマット選択メニュー、４３  フォーマット画面
【図１】
2007200383.tif 000003
【図２】
2007200383.tif 000004
【図３】
2007200383.tif 000005
【図４】
2007200383.tif 000006
【図５】
2007200383.tif 000007
【図６】
2007200383.tif 000008
【図７】
2007200383.tif 000009
【図８】
2007200383.tif 000010
【図９】
2007200383.tif 000011